(57)【要約】【課題】両端のいずれから開始しても容易に開封することができる形状のカートン用ジッパーを提供することにある。【解決手段】本発明は、切れ目線が、開封方向に沿って引き裂かれる二列のジッパーライン上に不連続に設けられた切れ目線と切れ目線の間隙幅が小さい主切れ目線と、そのジッパーラインの内側に所定の幅で前記ジッパーラインに平行な線上に不連続に設けられた補助切れ目線とからなり、主切れ目線が、直線部と該直線部の両端から鈍角で補助切れ目線に向かって斜めに伸びた斜線部とからなる形状であり、補助切れ目線が、隣接する主切れ目線の斜線部の先端間を前記ジッパーラインの内側方向に所定の幅で平行に移動した位置で、長さを先端間の距離と同等以上とし、補助切れ目線の長さを主切れ目線の長さに比べて小さくした形状のカートン用ジッパーでを利用したジッパー付きカートンである。【選択図】図１
2010001079.tif 000002
【特許請求の範囲】
【請求項１】
天パネル、四つの側パネル、底パネルにより構成されるカートンの前記天パネルを横断して切れ目線を二列に配列して帯状にして設けたジッパー付きカートンであって、
前記切れ目線が、開封方向に沿って引き裂かれる二列のジッパーライン上に不連続に設けられた切れ目線と切れ目線の間隙幅が小さい主切れ目線と、前記ジッパーラインの内側に所定の幅で前記ジッパーラインに平行な線上に不連続に設けられた補助切れ目線とからなり、前記主切れ目線が、直線部と該直線部の両端から鈍角で前記補助切れ目線に向かって斜めに伸びた斜線部とからなる形状であり、前記補助切れ目線が、隣接する前記主切れ目線の前記斜線部の先端間を前記ジッパーラインの内側方向に所定の幅で平行に移動した位置で、長さを前記先端間の距離と同等以上とし、前記補助切れ目線の長さを前記主切れ目線の長さに比べて小さくした形状であることを特徴とするジッパー付きカートン。
【請求項２】
天パネル、側パネル、前パネル、側パネル、後パネル、底パネルにより構成されるカートンの前記天パネルの側辺近傍に切れ目線を二列に配列して幅広い帯状にして設け、さらに、前記前パネルに延長して接続して摘み部を設けたジッパー付きカートンであって、
前記切れ目線が、開封方向に沿って引き裂かれる二列のジッパーライン上に不連続に設けられた切れ目線と切れ目線の間隙幅が小さい主切れ目線と、前記ジッパーラインの内側に所定の幅で前記ジッパーラインに平行な線上に不連続に設けられた補助切れ目線とからなり、前記主切れ目線が、直線部と該直線部の両端から鈍角で前記補助切れ目線に向かって斜めに伸びた斜線部とからなる形状であり、前記補助切れ目線が、隣接する前記主切れ目線の前記斜線部の先端間を前記ジッパーラインの内側方向に所定の幅で平行に移動した位置で、長さを前記先端間の距離と同等以上とし、前記補助切れ目線の長さを前記主切れ目線の長さに比べて小さくした形状であることを特徴とするジッパー付きカートン。
【請求項３】
天パネル、側パネル、前パネル、側パネル、後パネル、底パネルにより構成されるカートンの前記前パネルを横断して切れ目線を二列に配列して帯状にして設け、さらに、前記両側パネルに斜め方向に一列の切れ目線をそれぞれ設けたジッパー付きカートンであって、
前記切れ目線が、開封方向に沿って引き裂かれる二列のジッパーライン上に不連続に設けられた切れ目線と切れ目線の間隙幅が小さい主切れ目線と、前記ジッパーラインの内側に所定の幅で前記ジッパーラインに平行な線上に不連続に設けられた補助切れ目線とからなり、前記主切れ目線が、直線部と該直線部の両端から鈍角で前記補助切れ目線に向かって斜めに伸びた斜線部とからなる形状であり、前記補助切れ目線が、隣接する前記主切れ目線の前記斜線部の先端間を前記ジッパーラインの内側方向に所定の幅で平行に移動した位置で、長さを前記先端間の距離と同等以上とし、前記補助切れ目線の長さを前記主切れ目線の長さに比べて小さくした形状であることを特徴とするジッパー付きカートン。
【発明の詳細な説明】
【技術分野】
【０００１】
本発明は、カートンなどの開封に使用するジッパーに関するものであり、詳しくは、開封操作において、両端のいずれからも開封が可能なカートン用ジッパーに関するものである。
【背景技術】
【０００２】
従来から各種のカートンの開封にあたり、カートンの必要な部分を引き裂くための切れ目線として、単にミシン目状に不連続な切れ目線を入れる形状、直線の先端を曲げたＬ字形状の切れ目線を不連続に設けた形状、波形状の切れ目線をオーバーラップするように不連続に設けた形状等がある。さらに、これらの切れ目線を二列に配列して帯状にして開封する構造を通常ジッパーと称し、図８に示すような形状が実施あるいは提案されている。しかし、これらのカートン用ジッパーは、一方向から開封することができる形状であり、反対方向からは開封しにくい形状となっている。従って、表示が不明確な場合、使用者が視覚障害者、老人、子供などにとっては、反対側から開封してしまい、開封に困難をきたすことがある。従ってこの欠点を解消するために、両方向から開封することができるカートン用ジッパーも提案されている（例えば、特許文献１参照。）。
【先行技術文献】
【特許文献】
【０００３】
【特許文献１】特開平１０−１０１０６４号公報
【発明の概要】
【発明が解決しようとする課題】
【０００４】
しかしながら、上記の両方向から開封することができるカートン用ジッパーは、ジッパーをカートンから引き裂いた後、残された引き裂き部分がギザギザ状態となり、外観上、奇麗なものではなく、指等を傷つけたり、内容物を取り出す時に傷つけたりするという危険性がある等の問題がある。
【０００５】
上記の問題を解決するための本発明は、両端のいずれから開始しても容易に開封することができ、開封後の残された引き裂き部分が奇麗な状態で開封することができる形状のカートン用ジッパーを提供することを目的とするものである。
【課題を解決するための手段】
【０００６】
上記の課題を解決するために、請求項１の発明は、天パネル、四つの側パネル、底パネルにより構成されるカートンの前記天パネルを横断して切れ目線を二列に配列して帯状にして設けたジッパー付きカートンであって、前記切れ目線が、開封方向に沿って引き裂かれる二列のジッパーライン上に不連続に設けられた切れ目線と切れ目線の間隙幅が小さい主切れ目線と、前記ジッパーラインの内側に所定の幅で前記ジッパーラインに平行な線上に不連続に設けられた補助切れ目線とからなり、前記主切れ目線が、直線部と該直線部の両端から鈍角で前記補助切れ目線に向かって斜めに伸びた斜線部とからなる形状であり、前記補助切れ目線が、隣接する前記主切れ目線の前記斜線部の先端間を前記ジッパーラインの内側方向に所定の幅で平行に移動した位置で、長さを前記先端間の距離と同等以上とし、前記補助切れ目線の長さを前記主切れ目線の長さに比べて小さくした形状であることを特徴とするジッパー付きカートンである。
【０００７】
請求項２の発明は、天パネル、側パネル、前パネル、側パネル、後パネル、底パネルにより構成されるカートンの前記天パネルの側辺近傍に切れ目線を二列に配列して幅広い帯状にして設け、さらに、前記前パネルに延長して接続して摘み部を設けたジッパー付きカートンであって、前記切れ目線が、開封方向に沿って引き裂かれる二列のジッパーライン上に不連続に設けられた切れ目線と切れ目線の間隙幅が小さい主切れ目線と、前記ジッパーラインの内側に所定の幅で前記ジッパーラインに平行な線上に不連続に設けられた補助切れ目線とからなり、前記主切れ目線が、直線部と該直線部の両端から鈍角で前記補助切れ目線に向かって斜めに伸びた斜線部とからなる形状であり、前記補助切れ目線が、隣接する前記主切れ目線の前記斜線部の先端間を前記ジッパーラインの内側方向に所定の幅で平行に移動した位置で、長さを前記先端間の距離と同等以上とし、前記補助切れ目線の長さを前記主切れ目線の長さに比べて小さくした形状であることを特徴とするジッパー付きカートンである。
【０００８】
請求項３の発明は、天パネル、側パネル、前パネル、側パネル、後パネル、底パネルにより構成されるカートンの前記前パネルを横断して切れ目線を二列に配列して帯状にして設け、さらに、前記両側パネルに斜め方向に一列の切れ目線をそれぞれ設けたジッパー付きカートンであって、前記切れ目線が、開封方向に沿って引き裂かれる二列のジッパーライン上に不連続に設けられた切れ目線と切れ目線の間隙幅が小さい主切れ目線と、前記ジッパーラインの内側に所定の幅で前記ジッパーラインに平行な線上に不連続に設けられた補助切れ目線とからなり、前記主切れ目線が、直線部と該直線部の両端から鈍角で前記補助切れ目線に向かって斜めに伸びた斜線部とからなる形状であり、前記補助切れ目線が、隣接する前記主切れ目線の前記斜線部の先端間を前記ジッパーラインの内側方向に所定の幅で平行に移動した位置で、長さを前記先端間の距離と同等以上とし、前記補助切れ目線の長さを前記主切れ目線の長さに比べて小さくした形状であることを特徴とするジッパー付きカートンである。
【０００９】
また、前記切れ目線の前記直線部にツナギを設けることもできる形状のカートン用ジッパーを利用したジッパー付きカートンである。
【発明の効果】
【００１０】
本発明のカートン用ジッパーは、各種のジッパー付きカートンにおいて、両方向から開始しても開封ができ、表示が不明確な場合、使用者が視覚障害者、老人、子供などにとっても開封が容易で、最後までジッパーラインどおりに安定して引き裂くことができ、開封した後、残された引き裂いた部分が奇麗であり、指等を傷つけたり、内容物を取り出す時に傷つけたりすることの危険性がなくスムーズに開封することができるという効果を有するものである。
【００１１】
本発明によれば、両端のいずれからでも開始することができることにより、表示が不明確な場合、使用者が視覚障害者、老人、子供などにとっても容易に開封することができ、開封後の残された引き裂き部分が奇麗な状態で、指等を傷つけたり、内容物を取り出す時に傷つけたりすることのない形状のカートン用ジッパーを得ることができる。
【図面の簡単な説明】
【００１２】
【図１】本発明のカートン用ジッパーを示す平面図である。
【図２】本発明のカートン用ジッパーの部分拡大平面図である。
【図３】本発明のカートン用ジッパーの補助切れ目線の形状例を示す部分拡大平面図である。
【図４】本発明のカートン用ジッパーの効果を説明する図である。
【図５】本発明のカートン用ジッパーを使用したジッパー付きカートンの一実施例を示す斜視図である。
【図６】本発明のカートン用ジッパーを使用したジッパー付きカートンの別の実施例を示す斜視図である。
【図７】本発明のカートン用ジッパーを使用したジッパー付きカートンのさらに別の実施例を示す斜視図である。
【図８】従来のカートン用ジッパーの例を示す平面図である。
【発明を実施するための形態】
【００１３】
本発明のカートン用ジッパーの実施の形態について、以下に、図面を参照して詳細に説明する。図１は本発明のカートン用ジッパーを示す平面図であり、図２は本発明のカートン用ジッパーの部分拡大平面図であり、図３は本発明のカートン用ジッパーの補助切れ目線の形状例を示す部分拡大平面図であり、図４は本発明のカートン用ジッパーの効果を説明する図であり、図５は本発明のカートン用ジッパーを使用したジッパー付きカートンの一実施例を示す斜視図であり、図６は本発明のカートン用ジッパーを使用したジッパー付きカートンの別の実施例を示す斜視図であり、図７は本発明のカートン用ジッパーを使用したジッパー付きカートンのさらに別の実施例を示す斜視図であり、図８は従来のカートン用ジッパーの例を示す平面図である。
【００１４】
図１に示すように、本発明のカートン用ジッパーＡは、開封部分に切れ目線Ｐが二列配列されて、その間が帯状のジッパーとなっている。両端いずれの方向からも開封を開始することができる形状である。すなわち、このカートン用ジッパーＡの両端部を摘み部Ｔとし、いずれの側の摘み部Ｔを摘んでカートン用ジッパーＡを引き裂いても、カートンを開封することができる。また、両端部の摘み部Ｔを摘みやすいように、切れ目線Ｐの端部にＶ字形状などの切り欠けｖを設けることもできる。
【００１５】
それぞれの切れ目線Ｐ、Ｐは、図２−ａに示すように、主切れ目線Ｑと補助切れ目線Ｒからなっている。そして、主切れ目線Ｑは、それぞれの引き裂かれる線である二列のジッパーラインＸ、Ｘ上に不連続に設けられている直線部Ｑ１と、この直線部Ｑ１の両端から鈍角にそれぞれ補助切れ目線Ｒに向かって斜めに伸びる斜線部Ｑ２、Ｑ２とからなっている。直線部Ｑ１と斜線部Ｑ２、Ｑ２との角度αは、９０〜１５０度の範囲が好ましい。角度αが９０度未満の場合、切れ目線Ｐをスムースに引き裂くことができなくなり、一方、１５０度を超える場合、開封前の切れ目線Ｐの強度が弱くなる。また、この斜線部Ｑ２と直線部Ｑ１との角は、図２−ｂに示すように、丸みを持った形状とすることが好ましい。さらに、図２−ｃに示すように、斜線部Ｑ２を円弧状としてもよい。
【００１６】
一方、補助切れ目線Ｒは、二列のジッパーラインＸ、Ｘの内側にそれぞれ所定の幅に位置する平行な線Ｙ、Ｙ上に不連続に設けられ、その位置は、図３−ａに示すように、隣接する主切れ目線Ｑの斜線部Ｑ２の先端間Ｓを外方向に幅ｃで平行に移動した位置とし、その補助切れ目線Ｒの長さｂは、隣接する主切れ目線Ｑの斜線部Ｑ２の先端間距離ａと同等、または、それ以上の長さ、すなわち、ｂ≧ａの関係が成立するものとする。また、斜線部Ｑの先端から補助切れ目線Ｒとの距離、つまり、先端間Ｓを外方向に平行に移動した幅ｃは、０．５〜３．０ｍｍの範囲とすることが好ましい。０．５ｍｍ未満の場合には、開封前の段階で切れ目線Ｐが切れてしまう危険があり、３．０ｍｍを超えた場合には、切れ目線Ｐが引き裂きにくくなる。
【００１７】
また、補助切れ目線Ｒの形状は、図３−ａに示すように、直線形状が基本形であるが、図３−ｂに示すように、両端を主切れ目線Ｑ側に折り曲げた形状、あるいは、図３−ｃに示すように、主切れ目線Ｑ側に凹んだ円弧形状とすることもできる。このような形状にすることによって、引き裂きの伝播が、確実に引き継がれて、切れ目線Ｐを引き裂くことができる。いずれの形状にしろ、補助切れ目線Ｒに、主切れ目線Ｑの斜線部Ｑ２の延長線が突き当たるという位置関係になるように、主切れ目線Ｑと補助切れ目線Ｒを設定する。
【００１８】
さらに、切れ目線Ｐの直線部Ｑ１には、図２−ｄに示すように、ツナギＷを設けることが好ましい。このツナギＷは、直線部Ｑ１のほぼ中央部に設けることが好ましく、その幅は、０．１〜１．０ｍｍの範囲で適宜設定することができる。このツナギＷを設けることによって、カートン用ジッパーＡを設けることによるカートンの強度の低下を防ぐことができる。
【００１９】
本発明のカートン用ジッパーは平行な二列の切れ目線で形成した帯状のジッパーに限るものではなく、切れ目線が一列で形成された形状においても有効に使用することができる。この切れ目線は、ミシン目状の切れ目線、Ｌ字形状の切れ目線などと比較して引き裂きやすく、かつ、残された引き裂き部分がギザギザな状態とならずに滑らかで奇麗な状態となる。
【００２０】
つぎに、本発明のカートン用ジッパーＡの特徴を従来のカートン用ジッパーの代表例と比較して説明する。
【００２１】
図４−ａは、従来のカートン用ジッパーの代表例を説明する図である。図４−ａに示すような従来の直線部Ｌ１と斜線部Ｌ２とからなるＬ字形の切れ目線Ｌが二列に配列されたカートン用ジッパーＺをＭ方向から開封する場合、隣接するＬ字形の切れ目線Ｌの間の間隙部ｌを引き裂こうとすると、切れ目線Ｌの直線部Ｌ１の終点である後端からの引き裂き方向が、直線部Ｌ１の延長方向か、斜線部Ｌ２側に寄っていればよいが、図４−ａの矢印１で示すように、斜線部Ｌ２の反対側に偏ってしまうと、板紙の引き裂きに伴って起きる板紙の層間剥離を受け止める切れ目線Ｌの部分が無いため、間隙部ｌの切断は不能になり、切れ目線Ｌ同志が繋がらず、ジッパーラインＸどおりの完全な開封ができなくなる。また、カートン用ジッパーＺを開封した後、残された引き裂き部分に凸状のギザギザが残り、外観上、奇麗ではない。一方、このジッパーを逆方向のＮ方向から開封した場合、斜線部Ｌ２の方向（図４−ａの矢印２）に引き裂かれ、ジッパーの帯が切断され、開封が困難となる。
【００２２】
これに対して本発明によるカートン用ジッパーＡの場合は、図４−ｂに示すように、主切れ目線Ｑの直線部Ｑ１の両端から内側の補助切れ目線Ｒ側の方向に斜線部Ｑ２、Ｑ２を設けることによって、Ｍ方向あるいはＮ方向のいずれの側からカートン用ジッパーＡを引き裂いても引き裂きの方向をどちらかの斜線部Ｑ２の側に導くことができ、斜線部Ｑ２により導かれる引き裂きの方向において、それを受け止める補助切れ目線Ｒが待ち構えているので、引き裂きは次の主切れ目線Ｑに確実に伝播し、ジッパーの帯が切れることなく、最後の主切れ目線ＱまでジッパーラインＸ、Ｘに沿った開封が可能となる。また、カートン用ジッパーＡを開封した後、残された引き裂き部分が、奇麗な状態となる。
【００２３】
さらに、主切れ目線Ｑの直線部Ｑ１のほぼ中央にツナギＷを設けることによって、サック貼り工程で、切れ目線Ｐがささくれ立つことを防ぐことができ、また、カートン用ジッパーＡを設けたことによるカートン強度の低下を防ぐことができ、さらに、カートン用ジッパーＡを引き裂く時に、段階的に力が加わり、全体として、カートン用ジッパーＡの引き裂きをスムースに行うことができる。
【実施例】
【００２４】
＜実施例１＞
つぎに、本発明のカートン用ジッパーについて、さらに、実施例をあげて詳しく説明する。図５は、本発明のカートン用ジッパーの一実施例を示す斜視図であり、このカートン用ジッパーＡ１は、ジッパー付きカートンＣ１の天パネル１５に形成された例である。図５に示すように、ジッパー付きカートンＣ１は、天パネル１５、四つの側パネル１１、１２、１３、１４、底パネル１６により構成され、カートン用ジッパーＡ１を、切れ目線Ｐを二列に配列して帯状にして、ジッパー付きカートンＣ１の天パネル１５を横断して設けた。そして、摘み部Ｔをカートン用ジッパーＡ１の両端部に設け、摘みやすいように、天パネル１５の端縁から突出した形状とした。このジッパー付きカートンＣ１を開封するには、いずれかの側の摘み部Ｔを摘んでカートン用ジッパーＡ１を開封することにより、ジッパー付きカートンＣ１の天部を容易に開口することができた。そして、開封した後、残された引き裂いた部分が奇麗であった。
【００２５】
＜実施例２＞
図６は、本発明のカートン用ジッパーの別の実施例を示す斜視図であり、このカートン用ジッパーＡ２は、ジッパー付きカートンＣ２の天パネル１５と前パネル１２に渡って形成された例である。図６に示すように、ジッパー付きカートンＣ２は、天パネル１５、側パネル１１、前パネル１２、側パネル１３、後パネル１４、底パネル１６により構成され、カートン用ジッパーＡ２は、切れ目線Ｐを天パネル１５の側辺近傍に二列に配列して幅広い帯状にして、さらに、前パネル１２に延長して接続して摘み部Ｔを設けた形状とした。このカートン用ジッパーＡ２を開封するには、まず、前パネル１２の摘み部Ｔを摘んで、前パネル１２の切れ目線Ｐ、Ｐを引き裂き、そして、連続して天パネル１５の幅広い帯状のカートン用ジッパーＡ２を開封して、ジッパー付きカートンＣ２の天部を開口することができた。そして、開封した後、残された引き裂いた部分が奇麗であった。
【００２６】
＜実施例３＞
図７は、本発明のカートン用ジッパーのさらに別の実施例を示す斜視図であり、このカートン用ジッパーＡ３は、ジッパー付きカートンＣ３の前パネル１２と側パネル１１、１３に渡って形成された例である。図７に示すように、ジッパー付きカートンＣ３は、天パネル１５、側パネル１１、前パネル１２、側パネル１３、後パネル１４、底パネル１６により構成され、切れ目線Ｐを二列に配列して帯状にしたカートン用ジッパーＡ３を、ジッパー付きカートンＣ３の前パネル１２を横断して設け、さらに、両側パネル１１、１３に斜め方向に一列の切れ目線Ｐをそれぞれ設けた。このジッパー付きカートンＣ３を開封するには、まず、いずれかの側の摘み部Ｔを摘んで、前パネル１２のカートン用ジッパーＡ３を開封し、そして、カートン用ジッパーＡ３より上部の前パネル１２と天パネル１５の部分を持ち上げて、側パネル１１、１３の切れ目線Ｐ、Ｐを引き裂くことにより、ジッパー付きカートンＣ３の上部が分断されて蓋部となり開口することができた。そして、開封した後、下部の引き裂いた部分が奇麗であった。
【産業上の利用可能性】
【００２７】
本発明のカートン用ジッパーは、カートンを構成する構造体の各構成部、例えば、天部、側部、あるいは底部などのいずれの部位にも形成することができる。また、側部においては、その一部の側パネル（前パネル）若しくは全部の側パネルに渡って連続して設けることができる。また、カートン以外にも、プラスチックケース、文具、封筒類等にも利用することができるものである。
【符号の説明】
【００２８】
Ａ    本発明のカートン用ジッパー
Ａ１  本発明のカートン用ジッパー（実施例１）
Ａ２  本発明のカートン用ジッパー（実施例２）
Ａ３  本発明のカートン用ジッパー（実施例３）
Ｚ    従来のカートン用ジッパー（従来例）
Ｃ    ジッパー付きカートン
Ｃ１    ジッパー付きカートン（実施例１）
Ｃ２    ジッパー付きカートン（実施例２）
Ｃ３    ジッパー付きカートン（実施例３）
Ｐ    切れ目線（本発明のカートン用ジッパーの）
Ｌ    切れ目線（従来のカートン用ジッパーの）
Ｌ１  直線部（切れ目線Ｌの）
Ｌ２  斜線部（切れ目線Ｌの）
Ｍ    開封方向
Ｎ    開封方向
Ｑ    主切れ目線
Ｑ１  直線部
Ｑ２  斜線部
Ｒ    補助切れ目線
Ｘ    ジッパーライン
Ｙ    ジッパーラインに平行な線
Ｗ    ツナギ
Ｔ    摘み部
Ｓ    斜線部先端間
α    主切れ目線と補助切れ目線との角度
ａ    斜線部先端の距離
ｂ    補助切れ目線の長さ
ｃ    主切れ目線の先端と補助切れ目線との間隙幅
ｌ    間隙部（切れ目線Ｌの）
ｖ    切り欠け
１１    側パネル
１２    側パネル（前パネル）
１３    側パネル
１４    側パネル（後パネル）
１５    天パネル
１６    底パネル
【図１】
2010001079.tif 000003
【図２】
2010001079.tif 000004
【図３】
2010001079.tif 000005
【図４】
2010001079.tif 000006
【図５】
2010001079.tif 000007
【図６】
2010001079.tif 000008
【図７】
2010001079.tif 000009
【図８】
2010001079.tif 000010